(57)【要約】【課題】  開口部への着脱が容易で、壁面パネルを用いた土壁工法において、施工性に優れた安全柵を提供する。【解決手段】  壁面パネルを有する開口部に設ける安全柵１であって、壁面パネルに上から着脱自在に固定される把持部４と、開口部の前側に設ける防護部たる水平手摺３とを備える。把持部４を壁面パネルに固定することにより、開口部で壁面パネルの前側に水平手摺３を配置することができ、着脱が容易で扱い易いものとなる。開口部への着脱が容易で、壁面パネルを用いた土壁工法において、施工性に優れた安全柵を提供できる。【選択図】  図１
2005188170.tif 000002
【特許請求の範囲】
【請求項１】
両側に構造物を有する開口部に設ける安全柵であって、前記構造物に着脱自在に固定される把持部と、前記開口部で構造物の前側に設ける防護部とを備えることを特徴とする安全柵。
【請求項２】
前記防護部が上下複数段の水平手摺を備えることを特徴とする請求項１記載の安全柵。
【請求項３】
前記防護部が防護ネットを備えることを特徴とする請求項１又は２記載の安全柵。
【請求項４】
前記把持部は、構造物前後方向で該構造物の上部に位置する上部と、この上部の後に設けられ構造物の後面に位置する後部とを備えることを特徴とする請求項１〜３のいずれか１項に記載の安全柵。
【請求項５】
前記把持部の前後方向幅が調整可能であることを特徴とする請求項４記載の安全柵。
【請求項６】
前記把持部を上下多段に設けたことを特徴とする請求項１〜５のいずれか１項の記載の安全柵。
【請求項７】
上段の前記把持部は、前記構造物の前面に位置する前面縦部材を備えることを特徴とする請求項６記載の安全柵。
【請求項８】
前記防護部を前記開口部で構造物の前側に設けた状態で、前記下段の把持部を前記構造物の上から着脱可能とする連結部を備えることを特徴とする請求項６項記載の安全柵。
【請求項９】
前記防護部が着脱可能であることを特徴とする請求項１〜８のいずれか１項に記載の安全柵。
【請求項１０】
前記防護部が左右方向に伸縮自在であることを特徴とする請求項１〜９のいずれか１項に記載の安全柵。
【請求項１１】
前記把持部の前記後部が上下方向に伸縮自在であることを特徴とする請求項１〜１０のいずれか１項に記載の安全柵。
【請求項１２】
前記防護部を取付ける前面縦部材を備え、この前面縦部材が上下方向に伸縮自在であることを特徴とする請求項１〜１１のいずれか１項に記載の安全柵。
【請求項１３】
前記構造物が水平手摺を有する墜落防止用の柵であることを特徴とする請求項１〜１２のいずれか１項の記載の安全柵。
【請求項１４】
前記構造物が、補強土壁の施工に用いられる壁面パネルであることを特徴とする請求項１〜１２のいずれか１項に記載の安全柵。
【発明の詳細な説明】
【技術分野】
【０００１】
本発明は、壁面パネルや柵などの構造物の開口部に着脱可能に設けられる安全柵に関する。
【背景技術】
【０００２】
例えば、補強土壁工法において、図１９に示すように、壁面パネル101を段違いに１枚おきに建て込み、その背面を盛土した後、壁面パネル101，101の間の開口部102に、次の段の壁面パネル101を上方から吊り下ろして建て込み、その背面を盛土し、これを繰り返して補強土壁を構築する工法が知られている。
【０００３】
上記の工法では、隣り合う壁面パネル101，101の間に開口部102ができるため、墜落防止として開口部102を塞ぐ必要がある。しかし、従来の仮設用安全手摺り（例えば特許文献１）や仮設材（例えば特許文献２）は、いずれも支柱を立設して使用するものであるため、上記のような開口部102に用いるには不向きである。
【０００４】
そこで、上記の工法では、隣り合う壁面パネル101，101の間の開口部102を塞ぐため、壁面パネル101，101の間に、該壁面パネル101にあるボルト及びボルト孔に単管を差し込み、その単管で単管安全柵を作って開口部102を塞ぐようにしている。
【０００５】
しかし、前記単管安全柵は壁面パネル101の壁厚中央に設置しているため、新設の壁面パネル101を設置する時点で撤去が必要となる。この時点は作業に伴う墜落の危険が大きくなるときであり、安全面から問題となるものであった。
【特許文献１】特許第２７００３８４号公報
【特許文献２】特開２０００−２９１２６５号公報
【発明の開示】
【発明が解決しようとする課題】
【０００６】
前記単管安全柵は、壁面パネル101の壁厚中央に設けられるものであるから、このままでは次の壁面パネル101を開口部102に吊り下ろすことができず、必要性の高い開口部102への壁面パネル101の吊り下ろし作業前に、撤去しなければならなかった。そこで、従来の手摺を壁面パネルの背面側に置いて開口部102を塞いだとしても、盛土の邪魔になるため、移動が必要となり、同様に開口部102への壁面パネル101の吊り下ろし作業前に撤去しなければならない。
【０００７】
本発明は、このような問題点を解決しようとするもので、開口部への着脱が容易な安全柵を提供することを目的とし、加えて、壁面パネルを用いた土壁工法において、施工性に優れた安全柵を提供することを目的とする。
【課題を解決するための手段】
【０００８】
請求項１の発明は、両側に構造物を有する開口部に設ける安全柵であって、前記構造物に着脱自在に固定される把持部と、前記開口部で構造物の前側に設ける防護部とを備えるものである。
【０００９】
また、請求項２の発明は、前記防護部が上下複数段の水平手摺を備えるものである。
【００１０】
また、請求項３の発明は、前記防護部が防護ネットを備えるものである。
【００１１】
また、請求項４の発明は、前記把持部は、構造物前後方向で該構造物の上部に位置する上部と、この上部の後に設けられ構造物の後面に位置する後部とを備えるものである。
【００１２】
また、請求項５の発明は前記把持部の前後方向幅が調整可能である。
【００１３】
また、請求項６の発明は、前記把持部を上下多段に設けたものである。
【００１４】
また、請求項７の発明は、上段の前記把持部は、前記構造物の前面に位置する前面縦部材を備えるものである。
【００１５】
また、請求項８の発明は、前記防護部を前記開口部で構造物の前側に設けた状態で、前記下段の把持部を前記構造物の上から着脱可能とする連結部を備えるものである。
【００１６】
また、請求項９の発明は、前記防護部が着脱可能である。
【００１７】
また、請求項１０の発明は、前記防護部が左右方向に伸縮自在である。
【００１８】
また、請求項１１の発明は、前記把持部の前記後部が上下方向に伸縮自在である。
【００１９】
また、請求項１２の発明は、前記防護部を取付ける前面縦部材を備え、この前面縦部材が上下方向に伸縮自在である。
【００２０】
また、請求項１３の発明は、前記構造物が水平手摺を有する墜落防止用の柵である。
【００２１】
また、請求項１４の発明は、前記構造物が、補強土壁の施工に用いられる壁面パネルである。
【発明の効果】
【００２２】
請求項１の構成によれば、把持部を構造物に固定することにより、開口部で構造物の前側に防護部を配置することができる。また、構造物が補強土壁に用いられる壁面パネルの場合、防護部が開口部で壁面パネルの前に位置するから、防護部を設けたまま、開口部への壁面パネルの取付けを行うことができる。
【００２３】
また、請求項２の構成によれば、上下複数段の水平手摺により、手摺間の隙間が小さくなり、開口部の隙間を小さくできるため、人の墜落の危険をなくすことが可能となる。
【００２４】
また、請求項３の構成によれば、防護ネットにより、開口部を確実に塞ぐことができ、人の墜落の危険をなくすことができる。
【００２５】
また、請求項４の構成によれば、構造物の上部と後面に、把持部を上から引っ掛けるようにして安全柵を簡便に取付けることができる。
【００２６】
また、請求項５の構成によれば、構造物の厚さに対応して把持部の前後幅を調整して取付けることができるから、厚さの異なる構造物に対応可能であると共に、確実な取付状態が得られる。
【００２７】
また、請求項６の構成によれば、上下多段の把持部を用いることにより、安全柵を安定して取付けることができる。
【００２８】
また、請求項７の構成によれば、上段の把持部が前面縦部材を備えるから、水平手摺を安定して取付けできる。また、前面縦部材と把持部により防護部に加わる水平力に抵抗できる。
【００２９】
また、請求項８の構成によれば、防護部を開口部に設けた状態で、連結部により下段の把持部のみを構造物から外すことができ、安全柵を取付けたまま新設パネルを設置することができる。
【００３０】
また、請求項９の構成によれば、防護部を取り外して交換することができ、また、収納時には、防護部を取り外してコンパクトに収納し、移動することができる。
【００３１】
また、請求項１０の構成によれば、防護部を伸縮調整することにより、開口部の左右幅に合わせて使用することができる。
【００３２】
また、請求項１１の構成によれば、把持部の後部を上下方向に伸縮調整することにより、構造物の後面側への係止寸法を調整することができる。
【００３３】
また、請求項１２の構成によれば、前面縦部材を上下方向に伸縮することにより、防護部の上下間隔や、上下段の把持部の上下間隔などを調整することができる。
【００３４】
また、請求項１３の構成によれば、墜落防止用の柵間における開口部に、安全柵を簡便に取付けることができる。また、安全柵の防護部が落下防止用柵の前側に位置して取付けられるから、取付状態で落下防止用柵の後側のスペースを取らない。
【００３５】
また、請求項１４の構成によれば、補強土壁の施工に用いられる壁面パネル間における開口部に、安全柵を簡便に取付けることができる。
【００３６】
そして、本発明では、既設の壁面パネルに吊り下げて固定するため、個々の開口部に安全柵を容易に設定できる。また、着脱が容易にできるため、開口部位置が常に変動する施工において追随性に優れる。また、安全柵を設置したまま、開口部に新設の壁面パネルを設置でき、作業の安全性が確保される。さらに、上段と下段で安全柵を把持するため、構造が強固な安全柵となる。また、下段の把持部は、取りつける手摺に固定したまま、把持箇所から取り外し可能で、新設の壁面パネルの設置時に安全柵を移動することなく対応できるなどの効果を奏する。また、開口部で構造物の前面に安全柵を取付けたことに伴う水平力に対しては把持部で抵抗することができる。
【発明を実施するための最良の形態】
【００３７】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な安全柵を採用することにより、従来にない安全柵が得られ、その安全柵を夫々記述する。
【実施例１】
【００３８】
以下、本発明の実施例を添付図面を参照して説明する。図１〜図３は本発明の実施例１を示し、上記図１９と同一部分に同一符号を付し、その説明を省略して詳述する。同図において、本実施例では、前記壁面パネル101が構造物であって、これら壁面パネル101，101の間の開口部102に設ける安全柵１を示し、この安全柵１は、１つの開口部102毎に取付けられ、左右中央に上下方向の前面縦部材２，２Ａ，２を設け、これら前面縦部材２，２Ａ，２の上下に、防護部たる水平手摺３，３を一体に設け、前記左右の前面縦部材２，２の後部に、壁面パネル101の上縁101Ｕに掛け止め可能な把持部４，４を設けてなる。この例では、前記把持部４は、取付状態で、前記上縁101Ｕの上部に位置する前後方向の上部５と、壁面パネル101の後面101Ｂに位置し上下方向の爪部たる後部６と、前記前面縦部材２とからなる。そして、前記前面縦部材２，２Ａ，２と水平手摺３，３により安全柵本体７が構成される。尚、この例では、中央の前面縦部材２Ａは垂直手摺であって防護部の一部を構成する。また、安全柵本体７の左右幅は、把持部４を設けるために、前記開口部102の左右幅より広く形成されている。
【００３９】
前記把持部４は、構造物を把持する部分であり、前記防護部は落下を防止するための部分で、上述したように、水平手摺３を用いた枠体形状としたり、防護ネットなどにより構成したりでき、この例のように前面縦部材２などの本体７を把持部４の一部として用いてもよい。また、前記防護ネットは、前記水平手摺３や前面縦部材２からなる枠状の本体７に、フックを取り付け、このフックに引っ掛けるなどの簡便な手段で、着脱自在とすることが好ましい。さらに、その防護ネットの材質は、鋼材（ワイヤメッシュ）、布材、樹脂系材料など墜落防止の機能を備えるものであれば、各種のものを用いることができる。
【００４０】
また、この例では、前記壁面パネル101の左右の縁中央には突出部101Ｔが設けられ、隣合う壁面パネル101の左右両側が段違いに係合し、前記突出部101Ｔの上下には、段部101Ｄ，101Ｄが形成されている。
【００４１】
前記安全柵１の前面縦部材２，２Ａ，水平手摺３及び把持部４は、鉄筋（丸鋼）、単管、型鋼などの鋼材や樹脂系材料から形成することができる。
【００４２】
そして、開口部102の両側に位置する壁面パネル101，101に、上方から把持部４，４を掛けるようにして安全柵１を吊り下ろし、それぞれの上縁101Ｕを把持部４と前面縦部材２とで挟み、安全柵１を開口部102に取付ける。こうすると、図３に示すように、開口部102で壁面パネル101前面が、上下段の水平手摺３，３と中央の垂直手摺たる前面縦部材２Ａにより塞がれる。開口部102に安全柵１と取付けた後、ストリップやアンカーなどの固定部材８の一側を壁面パネル101の後面101Ｂに固定し、その他側を後側の盛土上に配置し、この後、開口部102の下部を構成する壁面パネル101の高さ位置Ｈまで盛土Ｍを行う。このように盛土Ｍ内に固定部材８を埋設することにより、該固定部材８と盛土Ｍの摩擦力により壁面パネル101を支持することができる。次に、開口部102の上方から、新しい壁面パネル101を吊り下ろして開口部102に嵌め込む。この場合、安全柵１は壁面パネル101の前後幅内には位置せず、開口部102における壁面パネル101前側に、水平手摺３と中央の前面縦部材２Ａが位置するだけであるから、これらにより開口部102を前後に塞ぎつつ、上からは新しい壁面パネル101を嵌め込むことができる。そして、新しい壁面パネル101を開口部102に建て込んだ後、安全柵１を上方に持ち上げ、次の開口部102に取付ける。
【００４３】
尚、この例では、把持部４の前後方向幅を壁面パネル101に対応することにより、前後方向に安定した取付状態が得られ、また、後部６を長くすることにより、安定性が増す。また、図２に示すように、開口部102の両側に位置する壁面パネル101の前面と、本体７の構成部材である前面縦部材２との間に、角材や鉄筋などのスペーサＳを挿入すれば、壁面パネル101と本体７との間に、新設の壁面パネル101を設置する際、手が入る隙間をつくるなど施工上好ましい隙間を設けることができる。
【００４４】
このように本実施例では、請求項１に対応して、両側に構造物たる壁面パネル101，101を有する開口部102に設ける安全柵１であって、壁面パネル101に着脱自在に固定される把持部４と、開口部102で壁面パネル101の前側に設ける防護部たる水平手摺３とを備えるから、把持部４を壁面パネル101に固定することにより、開口部102の前側に水平手摺３を配置することができ、着脱が容易で扱い易いものとなる。
【００４５】
また、このように本実施例では、請求項２に対応して、防護部が上下複数段の水平手摺３，３を備えるから、上下複数段の水平手摺３，３により、手摺３，３間の隙間が小さくなり、開口部102の隙間を小さくできる。
【００４６】
また、このように本実施例では、請求項３に対応して、防護部が防護ネットを備えるから、防護ネットにより、開口部102を確実に塞ぐことができ、人の墜落の危険をなくすことができる。
【００４７】
また、このように本実施例では、請求項４に対応して、把持部４は、壁面パネル101の前後方向で該壁面パネル101の上部たる上縁101Ｕに位置する上部５と、この上部５の後に設けられ壁面パネル101の後面101Ｂに位置して係止する後部６とを備えるから、壁面パネル101の上縁101Ｕと後面に、把持部４を上から引っ掛けるようにして安全柵１を簡便に取付けることができる。
【００４８】
また、このように本実施例では、請求項７に対応して、上段の把持部４は、構造物たる壁面パネル101の前面に位置する前面縦部材２を備えるから、水平手摺３を安定して取付けでき、本体７に加わる水平力に対しては、前面縦部材２が把持部４で片持ち状態で支持されて、抵抗することができる。
【００４９】
また、このように本実施例では、請求項１４に対応して、構造物が、補強土壁の施工に用いられる壁面パネル101であるから、補強土壁の施工に用いられる壁面パネル101，101間における開口部102に、安全柵１を簡便に取付けることができる。また、水平手摺３が開口部102で壁面パネル101の前に位置するから、水平手摺３を設けたまま、開口部102への壁面パネル101の取付けを行うことができる。
【実施例２】
【００５０】
図４及び図５は本発明の実施例２を示し、上記実施例１と同一部分に同一符号を付し、その詳細な説明を省略して詳述すると、この例では、前記安全柵１に下段の把持部10を設け、この把持部10は前記段部101Ｄ部分を把持するものである。前記把持部10は上下方向の前部11と前記上部５と後部６とを一体に備えた略コ字型形状をなし、前部11の端部が、回動連結部13により、本体７を構成する下段の水平手摺３に回動可能に連結されている。
【００５１】
また、本体７を構成する左右の前面縦部材２には、上下段に間隔保持具13，13Ａが設けられ、これら間隔保持具13，13Ａは把持部４，10の一部を構成するものであって、本体７に前後方向に螺着されたネジ部材からなり、螺合位置を調整することにより、ネジ部材の先端と後部６との間隔、すなわち把持部４，10の前後幅を調整でき、該ネジ部材と後部６とに壁面パネル101を挟み付けることができる。また、この例の間隔保持具13，13Ａは、壁面パネル101の前面と本体７との間に隙間を形成するものである。
【００５２】
そして、実施例１と同様に開口部102に安全柵１を取付け、但し、実施例１にはない下段の把持部10を段部101Ｄに掛け止めし、間隔保持具13，13Ａを締める方向に調整して把持部４，10で壁面パネル101を挟み付け固定する。そして、高さ位置Ｈまで盛土Ｍした後、開口部102に新しい壁面パネル101を上から吊り下げて建て込み、この前に、間隔保持具13Ａを緩めて、下段の把持部10を前方の回動し、開口部102から前側に移動しておく。こうすることにより、開口部102の前側に本体７を位置させたまま、新しい壁面パネル101を開口部102に吊り下ろして嵌めこむことができる。尚、図中８は、ストリップやアンカーなどの固定部材である。
【００５３】
このように本実施例では、上記実施例１と同様な作用・効果を奏し、また、請求項４に対応して、間隔保持具13，13Ａにより、把持部４の前後方向幅が調整可能であるから、壁面パネル101の厚さに対応して把持部４の前後幅を調整して取付けることができるから、厚さの異なる壁面パネル101に対応可能であると共に、確実な取付状態が得られる。
【００５４】
また、このように本実施例では、請求項６に対応して、把持部４，10を上下多段に設けたから、上，下段の把持部４，10を用いることにより、安全柵１を安定して取付けることができ、また、本体７に加わる水平力を複数の支持箇所に分散して抵抗することができる。
【００５５】
また、このように本実施例では、請求項８に対応して、防護部たる水平手摺３を開口部102で壁面パネル101の前側に設けた状態で、下段の把持部10を壁面パネル101の上から着脱可能とする連結部たる回動連結部12を備えるから、防護部を開口部102に設けた状態で、水平連結部12を中心に把持部10を回動して下段の把持部10のみを壁面パネル101から外すことができる。
【００５６】
尚、各本実施例では、下段の把持部10で把持する箇所を壁面パネル101の段部101Ｄとしたが、壁面パネル101の側部，上縁101Ｕや壁面パネルにあるボルトやボルト孔などの箇所を把持してもよい。この場合、把持部４の形状をフック状にしたり、把持部４を前面縦部材２に取付けたりすることで、その機能を確保する。また、下段の把持部10を必要に応じて複数段設ける構成としてもよい。
【実施例３】
【００５７】
図６は本発明の実施例３を示し、上記各実施例と同一部分に同一符号を付し、その詳細な説明を省略して詳述すると、この例の間隔保持具14は、把持部４の上部５を本体７の前面縦部材２に対して前後方向スライド可能でかつスライド位置で固定可能に設け、具体的には、本体７に対して、把持具４の上部５と後部６とを別体に設け、本体７に筒部15を設け、この筒部15に前記本体７を前後方向スライド可能に設け、前記筒部15に固定手段たる止めネジ16を設け、この止めネジ16を締めると、該止めネジ16の先端が上部５の外面に圧接して上部５が固定され、逆に止めネジ16を緩めると、上部５がスライド可能となる。尚、上部５の端部には止め部５Ｎを取付け、筒部15からの抜け出しを防止している。
【００５８】
したがって、上部５を前後にスライドして固定することにより、本体７と後部６の間隔、すなわち把持部４の前後方向幅を調整することができる。
【００５９】
このように本実施例では、請求項５に対応して、間隔保持具14により、把持部４の前後方向幅が調整可能であるから、壁面パネル101の厚さに対応して把持部４の前後幅を調整して取付けることができるから、厚さの異なる壁面パネル101に対応可能であると共に、確実な取付状態が得られる。
【実施例４】
【００６０】
図７は本発明の実施例４を示し、上記各実施例と同一部分に同一符号を付し、その詳細な説明を省略して詳述すると、この例の間隔保持具20では、把持部４の後部６に、前後方向の止めネジ21を螺着し、止めネジ21の先端22と本体７との間隔、すなわち把持部４の前後方向幅を調整するものである。尚、図中23は、前記水平手摺３や前面縦部材２からなる枠状の本体７に設けた防護ネットである。
【００６１】
このように本実施例では、請求項５に対応して、間隔保持具20により、把持部４の前後方向幅が調整可能であるから、壁面パネル101の厚さに対応して把持部４の前後幅を調整して取付けることができるから、厚さの異なる壁面パネル101に対応可能であると共に、確実な取付状態が得られる。
【実施例５】
【００６２】
図８及び図９は本発明の実施例５を示し、上記各実施例と同一部分に同一符号を付し、その詳細な説明を省略して詳述すると、この例の間隔保持具25では、把持部４の上部５の前端側を水平回動部26により前面縦部材２に水平回動可能に連結し、また、前記後部６の上端側６Ｊを前記上段の水平手摺３位置まで延設し、その上端側６Ｊに連結杆27の一端を、水平回動部28により、水平回動可能に連結すると共に、その連結杆27の他端を、前記上端の水平手摺２にスライド可能に設けたスライダたる筒体29に、自在継手などの揺動連結部30により連結しており、前記筒体29には、水平手摺２の外面に圧接可能な止めネジ31が螺着されている。
【００６３】
したがって、止めネジ31を緩め、筒体29を水平手摺３の長さ方向にスライドすれば、保持部４が水平連結部26を中心に回動し、後部６と本体７との間隔を調整することができる。
【００６４】
このように本実施例では、請求項５に対応して、間隔保持具25により、把持部４の前後方向幅が調整可能であるから、壁面パネル101の厚さに対応して把持部４の前後幅を調整して取付けることができるから、厚さの異なる壁面パネル101に対応可能であると共に、確実な取付状態が得られる。
【実施例６】
【００６５】
図１０及び図１１は本発明の実施例６を示し、上記各実施例と同一部分に同一符号を付し、その詳細な説明を省略して詳述すると、この例では、実施例２で示した下段の把持部４を回動操作する操作手段32を設けている。この操作手段32は、前記水平回動部12を回転する従動ギヤ33を前記水平回動部12に一体に設け、この従動ギヤ33は水平回動部12と共に水平手摺３を中心に回動し、さらに、水平回動部12から突出し該水平回動部12と平行な軸34を設け、この軸34に駆動ギヤ35を回動可能に設け、この駆動ギヤ35を回動する壁面パネル受け部36を該駆動ギヤ35に一体に設け、前記把持部10を壁面パネル101に掛け止めした状態で、前記壁面パネル受け部36を下段の壁面パネル101の上方に位置させている。
【００６６】
従って、開口部102に上方から新しい壁面パネル101を降ろすと、この壁面パネル101の下端が前記壁面パネル受け部36を押して下方に回転し、この回転がギヤ35，33により水平回動部12に伝えられ、該水平回動部12に固定した把持部10が前方側に逃げるように回転し、把持部10が開口部102位置から自動的に外れる。尚、新しい壁面パネル101が当たる前に、別途に壁面パネル受け部36を手や足などで押して、把持部10を回転するようにしてもよい。
【００６７】
このように本実施例では、上記各実施例と同様な作用・効果を奏し、また、実施例上の効果として、開口部102下部の壁面パネル101の上方で、新しい壁面パネル101の吊り下し位置に、壁面パネル101の下部に係合して回動する壁面パネル受け部36を設け、この壁面パネル受け部36の回転を伝達して下段の把持部10が外れる方向に回転する操作手段32を備えるから、据付の際、新しい壁面パネル101を吊り下すことにより、下段の把持部10が自動的に外れて前側に回転する。
【実施例７】
【００６８】
図１２及び図１３は本発明の実施例７を示し、上記各実施例と同一部分に同一符号を付し、その詳細な説明を省略して詳述すると、この例では、前面縦部材２に把持部４を一体に設け、前面縦部材２，２Ａの前側にストッパ部材41を上下多段に設け、このストッパ部材41は上部が開口すると共に、前記水平手摺３が着脱自在に挿入され、挿着時には、弾性により上部が閉まり抜け止め状態となり、水平手摺３を上方に持ち上げると、弾性によりその開口が開いて水平手摺３を抜くことができるものである。また、水平手摺３には、ストッパ部材41あるいは前面縦部材２に係合して該水平部材３の左右方向の移動を規制する位置決め部42が設けられている。尚、本実施例では、ストッパ部材41を前面縦部材２の前側に取付けたが、壁面パネル101と前面縦部材２の隙間に余裕がある場合などには、後側に取付けてもよい。
【００６９】
このように本実施例では、上記各実施例と同様な作用・効果を奏し、また、このように本実施例では、請求項９に対応して、防護部たる水平手摺３が本体７から着脱可能であるから、水平手摺３を取り外して交換することができ、また、収納時には、水平手摺３を取り外してコンパクトに収納することができ、移動時などにおける取り扱いが容易となる。
【実施例８】
【００７０】
図１４及び図１５は本発明の実施例８を示し、上記各実施例と同一部分に同一符号を付し、その詳細な説明を省略して詳述すると、この例では、安全柵１の前面縦部材２，水平手摺３及び把持部４の後部６を伸縮機構51により伸縮自在に構成し、この伸縮機構51は、いわゆる鞘構造であり、まず、水平手摺３を、一方の分割部材である管体３Ｋと、この管体３Ｋにスライド可能に挿入する丸棒などの他方の分割部材である棒体３Ｍとにより構成し、前面縦部材２，２Ａを、管体２Ｋと、この管体３Ｋにスライド可能に挿入する丸棒などの棒体３Ｍとにより構成し、後部６を、管体６Ｋと、この管体６Ｋにスライド可能に挿入する丸棒などの棒体６Ｍとにより構成し、各管体２Ｋ，３Ｋ，６Ｋに、先端が棒体２Ｍ，３Ｍ，６Ｍの外周に圧接可能な止めネジ52をそれぞれ螺着してなる。
【００７１】
また、前面縦部材２と水平手摺３，３とは、管体２Ｋに、上段の管体３Ｋの端部を固定し、棒体２Ｍに、下段の管体３Ｋを固定し、前面縦部材２Ａと水平手摺３，３とは、管体２Ｋに、上段の棒体３Ｍを固定し、棒体２Ｍに、下段の棒体３Ｍを固定している。また、管体２Ｋと上部５と管体６Ｋとは連続した１つの管部材を屈曲して形成されている。
【００７２】
このように本実施例では、上記各実施例と同様な作用・効果を奏し、また、このように本実施例では、請求項１０に対応して、防護部たる水平手摺３が左右方向に伸縮自在であるから、水平手摺３を伸縮調整することにより、開口部102の左右幅に合わせて使用することができる。
【００７３】
また、このように本実施例では、請求項１１に対応して、把持部４の後部６が上下方向に伸縮自在であるから、後部６を上下方向に伸縮調整することにより、後部６の後面101Ｂへの係止寸法を調整することができる。
【００７４】
また、このように本実施例では、請求項１２に対応して、防護部たる水平手摺３を取付ける前面縦部材２を備え、この前面縦部材２が上下方向に伸縮自在であるから、前面縦部材２を上下方向に伸縮することにより、水平手摺３，３の上下間隔や、上下段の把持部４，４の上下間隔などを調整することができる。
【実施例９】
【００７５】
図１６は本発明の実施例９を示し、上記各実施例と同一部分に同一符号を付し、その詳細な説明を省略して詳述すると、この例では、実施例８の伸縮機構51と異なる伸縮機構55を示し、前面縦部材２，水平手摺３及び把持部４の後部６を、伸縮機構55により、伸縮自在に構成し、前面縦部材２，水平手摺３及び後部６を、一方の分割部材２Ｋ´，３Ｋ´，６Ｋ´と、他方の分割部材棒体２Ｍ，３Ｍ，６Ｍに分割し、それら分割部材２Ｋ´，３Ｋ´，６Ｋ´と他方の分割部材である棒体２Ｍ，３Ｍ，６Ｍとをクランプなどの締付け具56，56により連結しており、締付け具56，56を緩めて分割部材同士をスライドさせ、再び締付けることにより伸縮調整することができ、上記実施例８と同様な作用・効果を奏する。
【実施例１０】
【００７６】
図１７及び図１８は本発明の実施例１０を示し、上記各実施例と同一部分に同一符号を付し、その詳細な説明を省略して詳述すると、この例の構造物は、墜落防止用の柵61であり、この柵61は基礎上に複数の支柱62，62を立設し、支柱62，62間に水平手摺63，63を上下段に配置してなる。また、柵61，61間には通行用などの開口部64が設けられている。
【００７７】
安全柵１は、把持部４，10の上部５，５が湾曲状に形成され、それら把持部４，10が前記柵61の水平手摺63，63に上方から引っ掛けることにより着脱自在に固定される。
【００７８】
このように本実施例では、請求項１３に対応して、構造物が水平手摺63を有する墜落防止用の柵61であるから、墜落防止用の柵61，61間における開口部64に、安全柵１を簡便に取付けることができる。また、安全柵１の水平手摺３が落下防止用柵61の前側に位置して取付けられるから、取付状態で落下防止用柵61の後側のスペースを取らない。
【００７９】
なお、本発明は、前記実施例に限定されるものではなく、種々の変形実施が可能である。例えば、水平手摺は１段でも、３段以上でもよい。また、実施例２では、前部11と前記上部５と後部６とを鋼材などで一体に形成したが、前部11を紐などのフレキシブルなものにして、上部５と本体７とを連結するようにしてもよい。また、壁面パネル受け部36を回転操作する操作手段を示したが、バネなどにより把持部が回動するようにしてもよい。また、把持部に吸盤を設け、構造物を吸引固定するようにしてもよい。また、本体の形状は実施例では平面形状が直線状のものを示したが、構造物に応じて、平面弧状にしたり、Ｌ字状にしたりしてもよい。
【図面の簡単な説明】
【００８０】
【図１】本発明の実施例１を示す安全柵の斜視図である。
【図２】同上、安全柵の使用状態の断面図である。
【図３】同上、補強土壁の施工に安全柵を使用した状態を示す正面図である。
【図４】本発明の実施例２を示す安全柵の使用状態の断面図である。
【図５】同上、安全柵の要部の斜視図である。
【図６】本発明の実施例３を示す安全柵の側面図である。
【図７】本発明の実施例４を示す安全柵の使用状態の断面図である。
【図８】本発明の実施例５を示す安全柵の要部の平面図である。
【図９】同上、安全柵の要部の斜視図である。
【図１０】本発明の実施例６を示す安全柵の使用状態の断面図である。
【図１１】同上、安全柵の使用状態の要部の平面図である。
【図１２】本発明の実施例７を示す安全柵の使用状態の断面図である。
【図１３】同上、取り外した状態の水平手摺の斜視図である。
【図１４】本発明の実施例８を示す安全柵の要部の斜視図である。
【図１５】同上、安全柵の要部の正面図である。
【図１６】本発明の実施例９を示す安全柵の要部の正面図である。
【図１７】本発明の実施例１０を示す安全柵の使用状態の正面図である。
【図１８】同上、安全柵の使用状態の断面図である。
【図１９】従来の補強土壁の施工を説明する正面図である。
【符号の説明】
【００８１】
１  安全柵
２  前面縦部材
２Ａ  前面縦部材（防護部）
３  水平手摺（防護部）
４  把持部
５  上部
６  後部
７  安全柵本体
10  下段の把持部
12  回動連結部（連結部）
23  防護ネット
61  柵（構造物）
64  開口部
101  壁面パネル（構造物）
101Ｕ  上縁（上部）
101Ｄ  段部（上部）
102  開口部
【図１】
2005188170.tif 000003
【図２】
2005188170.tif 000004
【図３】
2005188170.tif 000005
【図４】
2005188170.tif 000006
【図５】
2005188170.tif 000007
【図６】
2005188170.tif 000008
【図７】
2005188170.tif 000009
【図８】
2005188170.tif 000010
【図９】
2005188170.tif 000011
【図１０】
2005188170.tif 000012
【図１１】
2005188170.tif 000013
【図１２】
2005188170.tif 000014
【図１３】
2005188170.tif 000015
【図１４】
2005188170.tif 000016
【図１５】
2005188170.tif 000017
【図１６】
2005188170.tif 000018
【図１７】
2005188170.tif 000019
【図１８】
2005188170.tif 000020
【図１９】
2005188170.tif 000021